(57)【要約】  撮像レンズ（ＬＮ）は、少なくとも３つ以上のレンズブロック（ＢＫ）を含むとともに、開口絞り（ａｐｅ）を含む。このレンズブロック（ＢＫ）は異なる材質で形成される平行平板のレンズ基板（ＬＳ）とレンズ（Ｌ）とを含む。そして、この撮像レンズ（ＬＮ）では、第１レンズブロック（ＢＫ１）に含まれる第１レンズ（Ｌ１）の物体側レンズ面が物体側凸面であり、第２レンズブロック（ＢＫ２）に含まれる第３レンズ（Ｌ３）の物体側レンズ面が物体側凹面であり、第３レンズブロック（ＢＫ３）に含まれる第５レンズＬ５の物体側レンズ面および第６レンズＬ６の像側レンズ面の少なくとも一方が、非球面である。
2008102774.tif 000002
【特許請求の範囲】
【請求項１】
平行平板であるレンズ基板と、前記レンズ基板の物体側基板面および像側基板面の少なくとも一方の基板面に連なる正パワーまたは負パワーを発揮するレンズと、を有するレンズブロックが、少なくとも３つ以上含まれるとともに、
光量を規制する開口絞りが含まれており、
前記レンズブロックは、前記レンズ基板とは異なる材質で形成される前記レンズを含み、
前記レンズブロックである第１レンズブロックが最も物体側に位置し、
その第１レンズブロックでは、前記レンズ基板である第１レンズ基板が含まれ、かつ、前記レンズであるレンズＬ[LS1o]が前記第１レンズ基板の物体側基板面に連なり、
前記レンズＬ[LS1o]の物体側レンズ面は、物体側凸面であり、
前記レンズブロックである第２レンズブロックが、前記第１レンズブロックの像側に位置し、
その第２レンズブロックでは、前記レンズ基板である第２レンズ基板が含まれ、かつ、前記レンズであるレンズＬ[LS2o]が前記第２レンズ基板の物体側基板面に連なり、
前記レンズＬ[LS2o]の物体側レンズ面は、物体側凹面であり、
前記レンズブロックである第３レンズブロックが、前記第２レンズブロックの像側に位置し、
その第３レンズブロックでは、前記レンズ基板である第３レンズ基板が含まれ、かつ、前記レンズが前記第３レンズ基板の物体側基板面および像側基板面の少なくとも一方の基板面に連なり、
前記レンズが前記第３レンズ基板の物体側基板面に連なる場合、そのレンズがレンズＬ[LS3o]となる一方、前記レンズが前記第３レンズ基板の像側基板面に連なる場合、そのレンズがレンズＬ[LS3m]となり、
前記レンズＬ[LS3o]の物体側レンズ面および前記レンズＬ[LS3m]の像側レンズ面の少なくとも一方が、非球面である撮像レンズ。
【請求項２】
前記第１レンズブロックが正のパワーを発揮し、
下記条件式（Ｂ１）が満たされる請求項１に記載の撮像レンズ。
０．６≦ｆ[L[LS1o]o]／ｆ[all]≦２．０  …  （Ｂ１）
ただし、
ｆ[L[LS1o]o]  ：レンズＬ[LS1o]の物体側レンズ面の焦点距離
ｆ[all]           ：撮像レンズ全体の焦点距離
である。
【請求項３】
下記条件式（Ｂ２）が満たされる請求項１または２に記載の撮像レンズ。
１＜Ｎ[LS1]／Ｎ[L[LS1o]]  …  （Ｂ２）
ただし、
Ｎ[LS1]        ：第１レンズ基板の屈折率
Ｎ[L[LS1o]]   ：レンズＬ[LS1o]の屈折率
である。
【請求項４】
下記条件式（Ｂ３）が満たされる請求項３に記載の撮像レンズ。
ν[LS1]≦５０  …  （Ｂ３）
ただし、
ν[LS1]  ：第１レンズ基板のアッベ数
である。
【請求項５】
下記条件式（Ｂ４）および（Ｂ５）が満たされる請求項１または２に記載の撮像レンズ。
Ｎ[LS1]／Ｎ[L[LS1o]]＜１  …  （Ｂ４）
４０≦ν[LS1]             …  （Ｂ５）
ただし、
Ｎ[LS1]        ：第１レンズ基板の屈折率
Ｎ[L[LS1o]]   ：レンズＬ[LS1o]の屈折率
ν[LS1]        ：第１レンズ基板のアッベ数
である。
【請求項６】
下記条件式（Ｂ６）が満たされる請求項１〜５のいずれか１項に記載の撮像レンズ。
０．０３≦ｄ[LS1]／ＴＬ≦０．３３  …  （Ｂ６）
ただし、
ｄ[LS1]  ：第１レンズ基板の光軸上の厚み
ＴＬ     ：撮像レンズにて最も物体側の面から結像面に至るまでの光軸上の長
さ
である。
【請求項７】
下記条件式（Ｂ７）および（Ｂ８）が満たされる請求項１〜６のいずれか１項に記載の撮像レンズ。
ＴＬ／Ｙ’≦２．０６    …  （Ｂ７）
Ａｒ／ＴＬ≦０．５      …  （Ｂ８）
ただし、
ＴＬ      ：撮像レンズにて最も物体側の面から結像面に至るまでの光軸上の長
さ
Ｙ’      ：最大像高
Ａｒ      ：撮像レンズにて、隣り合うレンズブロック同士の空気間隔の総和（
ただし、レンズブロックを除くパワーを有さない光学素子の厚みは
、空気換算した後、空気間隔に含む）
である。
【請求項８】
下記条件式（Ｂ９）が満たされる請求項１〜７のいずれか１項に記載の撮像レンズ。
−２．０≦ｒ[L[LS2o]o]／ｆ[all]≦−０．３５  …  （Ｂ９）
ただし、
ｒ[L[LS2o]o]  ：レンズＬ[lS2o]の物体側レンズ面の近軸曲率半径
ｆ[all]           ：撮像レンズ全体の焦点距離
である。
【請求項９】
前記レンズ基板がガラスで形成される請求項１〜８のいずれか１項に記載の撮像レンズ。
【請求項１０】
前記レンズが樹脂で形成される請求項１〜９のいずれか１項に記載の撮像レンズ。
【請求項１１】
前記レンズとなる樹脂には、３０ｎｍ以下の粒径である無機微粒子が分散する請求項１０に記載の撮像レンズ。
【請求項１２】
前記樹脂は、硬化型樹脂である請求項１０または１１に記載の撮像レンズ。
【請求項１３】
請求項１〜１２のいずれか１項に記載の撮像レンズと、
前記撮像レンズを通過する光を撮像する撮像素子と、
を含む撮像装置。
【請求項１４】
請求項１３に記載の撮像装置を含む携帯端末。
【請求項１５】
請求項１〜１４のいずれか１項に記載の撮像レンズの製造方法にあって、
複数の前記レンズブロックを並べて含むユニットを、レンズブロックユニットとする
と、
前記レンズブロックの周縁の少なくとも一部にスペーサを並べ、複数の前記レン
ズブロックユニットを、前記スペーサを介在させてつなげる連結工程と、
前記のつながるレンズブロックユニットを、前記スペーサに沿って切断する切断
工程と、
を含む撮像レンズの製造方法。
【発明の詳細な説明】
【技術分野】
【０００１】
本発明は、撮像レンズ、撮像装置、携帯端末、および撮像レンズの製造方法に関する。
【背景技術】
【０００２】
昨今、コンパクトで薄型の撮像装置が、コンパクトで薄型の電子機器である携帯端末｛例えば、携帯電話機やＰＤＡ(Personal  Digital  Assistant)等｝に搭載される。そして、このような携帯端末と、例えば遠隔地の電子機器との間では、音声情報および画像情報等の情報が双方向で伝送される。【０００３】
ところで、撮像装置に使用される撮像素子としては、例えば、ＣＣＤ(Charge  Coupled  Device)型イメージセンサおよびＣＭＯＳ(Complementary  Metal-Oxide  Semiconductor)型イメージセンサの固体撮像素子が挙げられる。また、昨今では、これらの撮像素子上に被写体像を形成する撮像レンズとして、安価に大量生産できる樹脂製レンズが、低コスト化のために用いられる。【０００４】
このような撮像レンズ、特に、携帯端末に内蔵される撮像装置（いわゆるカメラモジュール）に使用される撮像レンズとしては、プラスチックレンズ３枚構成のタイプ、および、ガラスレンズ１枚とプラスチックレンズ２枚とを含む３枚構成のタイプが、一般的によく知られている。しかしながら、これらの撮像レンズに対するさらなる超コンパクト化と高い量産化とは、技術的な限界から両立しにくい。【０００５】
このような問題点を克服する一対策として、レプリカ法（replica  method）が特許文献１に挙げられる。レプリカ法とは、１つのレンズ基板（ウェハ）に多数のレンズ（レンズ要素）を同時に形成する方法である。この方法で形成されるレンズを複数並べて含むレンズ基板（レンズユニット）は、ウェハ状の撮像素子（センサウェハ）につなげられた後に分割される。このようにして、分割されたレンズユニットで、撮像素子に対応する撮像レンズはウェハスケールレンズ（接合型複合レンズ）と呼ばれるとともに、このウェハスケールレンズと撮像素子とを含むモジュールはウェハスケールカメラモジュールと呼ばれる。【０００６】
そして、特許文献１は、レプリカ法で形成されたウェハスケールレンズ（レンズ基板の少なくとも１つの基板面にレンズが連なる光学要素；レンズブロックとも称す）を含む撮像レンズを開示する。なお、この撮像レンズにおけるウェハスケールレンズでは、レンズ基板上に回折面と屈折面とが同時に形成されており、それらによって、この撮像レンズは色収差を補正する。
【特許文献１】特開２００６−３２３３６５号公報
【発明の開示】
【発明が解決しようとする課題】
【０００７】
しかしながら、特許文献１に記載の撮像レンズのように、レンズ基板上に回折面および屈折面を同時に形成することは容易ではない。特に、比較的光学全長（レンズ系にて、最も物体側の入射面から撮像素子の撮像面に至るまでの距離）の短いレンズ系では、屈折面の中心厚は極めて薄くなってしまい、ウェハスケールレンズの形成は一層難しくなる。【０００８】
また、回折面を含む撮像レンズでは、設計波長以外での波長の光に関する回折効率は低下しやすい。さらには、回折面への入射光の角度特性が悪いと、その回折面に対する入射光の入射角度には制約がかかり、撮像レンズは広い画角を確保できない。また、特許文献１に記載の撮像レンズにて、物体側から２番目に位置する第２レンズブロックの物体側面が凸面であるので、ペッツバール和は大きくなる。【０００９】
また、ウェハスケールレンズであっても、従来のガラスまたは樹脂で形成されるノーマルなレンズ系（ノーマルレンズ）と同等の光学性能を有さなくてはならない。しかしながら、光学性能上（例えば収差補正上）、ウェハスケールレンズがメニスカス形状を含まなくてはならない場合、ウェハスケールレンズは、レンズ基板を含むために光軸上の厚みを増大させなくてはならない。そのため、ウェハスケールレンズ、ひいては撮像レンズの長さが増大しやすい。【００１０】
なお、最近では、カメラモジュールは、ＩＣチップ等とともに、ペースト状のハンダの印刷されたプリント基板に取り付けられた後、加熱処理（リフロー処理）されることで、そのプリント基板に実装される。このような実装であれば、カメラモジュールを含む種々装置が低コストで大量に生産されるためである。すると、最近の撮像レンズは、リフロー処理に耐え得る耐熱性も要求される。【００１１】
本発明は、前述の状況を鑑みてなされたものである。そして、本発明の目的は、以下の点を満たす撮像レンズ等を提供することにある。
・より少ないレンズブロック数しか含まないにもかかわらず、回折面等を含まず、像
高に対する光学全長を短縮する。
・良好な収差補正の確保。
・コストダウン。
【課題を解決するための手段】
【００１２】
撮像レンズは、平行平板であるレンズ基板と、レンズ基板の物体側基板面および像側基板面の少なくとも一方の基板面に連なる正パワーまたは負パワーを発揮するレンズと、を有するレンズブロックを、少なくとも３つ以上含む。さらに、撮像レンズは、光量を規制する開口絞りも含む。【００１３】
なお、この撮像レンズにて含まれるレンズブロックは、物体側から像側に向かう順番で、第１から第４の数字を付される。また、レンズブロックに含まれるレンズ基板も同様に、第１から第４の数字を付される。さらに、レンズブロックにおけるレンズＬは、レンズ基板ＬＳ（第１レンズ基板ＬＳ１〜第４レンズ基板ＬＳ４）における物体側（o）のレンズＬおよび像側（m）のレンズＬという意味で、レンズＬ[LS1o]、レンズＬ[LS1m]、レンズＬ[LS2o]、レンズＬ[LS2m]、レンズＬ[LS3o]、レンズＬ[LS3m]、レンズＬ[LS4o]、レンズＬ[LS4m]、と表現する。【００１４】
以上のような撮像レンズでは、以下の通りである。すなわち、撮像レンズでは、レンズブロックは、レンズ基板とは異なる材質で形成されるレンズを含み、第１レンズブロックが最も物体側に位置する。この第１レンズブロックでは、第１レンズ基板が含まれ、かつ、レンズＬ[LS1o]が第１レンズ基板の物体側基板面に連なり、そのレンズＬ[LS1o]の物体側レンズ面は、物体側凸面である。【００１５】
さらに、この撮像レンズでは、第２レンズブロックが、第１レンズブロックの像側に位置する。この第２レンズブロックでは、第２レンズ基板が含まれ、かつ、レンズＬ[LS2o]が第２レンズ基板の物体側基板面に連なり、そのレンズＬ[LS2o]の物体側レンズ面は、物体側凹面である。【００１６】
さらに、この撮像レンズでは、第３レンズブロックが、第２レンズブロックの像側に位置する。この第３レンズブロックでは、第３レンズ基板が含まれ、かつ、レンズが第３レンズ基板の物体側基板面および像側基板面の少なくとも一方の基板面に連なり、レンズが第３レンズ基板の物体側基板面に連なる場合、そのレンズがレンズＬ[LS3o]となる一方、第３レンズ基板の像側基板面に連なる場合、そのレンズがレンズＬ[LS3m]となる。そして、レンズＬ[LS3o]の物体側レンズ面およびレンズＬ[LS3m]の像側レンズ面の少なくとも一方が、非球面である。【００１７】
また、撮像レンズでは、第１レンズブロックが正のパワーを発揮し、下記条件式（Ｂ１）が満たされると望ましい。【００１８】
０．６≦ｆ[L[LS1o]o]／ｆ[all]≦２．０  …  （Ｂ１）
ただし、
ｆ[L[LS1o]o]  ：レンズＬ[LS1o]の物体側レンズ面の焦点距離
ｆ[all]           ：撮像レンズ全体の焦点距離
である。  【００１９】
また、撮像レンズでは、下記条件式（Ｂ２）が満たされると望ましい。【００２０】
１＜Ｎ[LS1]／Ｎ[L[LS1o]]  …  （Ｂ２）
ただし、
Ｎ[LS1]        ：第１レンズ基板の屈折率
Ｎ[L[LS1o]]   ：レンズＬ[LS1o]の屈折率
である。【００２１】
また、撮像レンズでは、下記条件式（Ｂ３）が満たされると望ましい。【００２２】
ν[LS1]≦５０  …  （Ｂ３）
ただし、
ν[LS1]  ：第１レンズ基板のアッベ数
である。【００２３】
また、撮像レンズでは、下記条件式（Ｂ４）および（Ｂ５）が満たされると望ましい。【００２４】
Ｎ[LS1]／Ｎ[L[LS1o]]＜１  …  （Ｂ４）
４０≦ν[LS1]             …  （Ｂ５）
ただし、
Ｎ[LS1]        ：第１レンズ基板の屈折率
Ｎ[L[LS1o]]   ：レンズＬ[LS1o]の屈折率
ν[LS1]        ：第１レンズ基板のアッベ数
である。【００２５】
また、撮像レンズでは、下記条件式（Ｂ６）が満たされると望ましい。【００２６】
０．０３≦ｄ[LS1]／ＴＬ≦０．３３  …  （Ｂ６）
ただし、
ｄ[LS1]  ：第１レンズ基板の光軸上の厚み
ＴＬ     ：撮像レンズにて最も物体側の面から結像面に至るまでの光軸上の長
さ
である。【００２７】
また、撮像レンズでは、下記条件式（Ｂ７）および（Ｂ８）が満たされると望ましい。【００２８】
ＴＬ／Ｙ’≦２．０６    …  （Ｂ７）
Ａｒ／ＴＬ≦０．５      …  （Ｂ８）
ただし、
ＴＬ      ：撮像レンズにて最も物体側の面から結像面に至るまでの光軸上の長
さ
Ｙ’      ：最大像高
Ａｒ      ：撮像レンズにて、隣り合うレンズブロック同士の空気間隔の総和（
ただし、レンズブロックを除くパワーを有さない光学素子の厚みは
、空気換算した後、空気間隔に含む）
である。【００２９】
また、撮像レンズでは、下記条件式（Ｂ９）が満たされると望ましい。【００３０】
−２．０≦ｒ[L[LS2o]o]／ｆ[all]≦−０．３５  …  （Ｂ９）
ただし、
ｒ[L[LS2o]o]  ：レンズＬ[lS2o]の物体側レンズ面の近軸曲率半径
ｆ[all]           ：撮像レンズ全体の焦点距離
である。【００３１】
また、撮像レンズでは、レンズ基板がガラスで形成されると望ましい。【００３２】
また、撮像レンズでは、レンズが樹脂で形成されると望ましい。【００３３】
なお、レンズとなる樹脂には、３０ｎｍ以下の粒径である無機微粒子が分散すると望ましい。【００３４】
また、樹脂は、硬化型樹脂であると望ましい。【００３５】
なお、以上のような撮像レンズと、撮像レンズを通過する光を撮像する撮像素子と、を含む撮像装置も本発明といえる。また、この撮像装置を含む携帯端末も本発明といえる。【００３６】
また、以上のような撮像レンズの製造方法にあって、複数のレンズブロックを並べて含むユニットを、レンズブロックユニットとすると、以下の工程が含まれると望ましい。すなわち、レンズブロックの周縁の少なくとも一部にスペーサを並べ、複数のレンズブロックユニットを、スペーサを介在させてつなげる連結工程と、つながるレンズブロックユニットを、スペーサに沿って切断する切断工程と、を含む撮像レンズの製造方法が望ましい。
【発明の効果】
【００３７】
本発明によると、撮像レンズは、少なくとも３つ以上のレンズブロックを含むとともに、物体側凸面である第１レンズブロックのレンズＬ[LS1o]、物体側凹面である第２レンズブロックのレンズＬ[LS2o]の物体側レンズ面、並びに、非球面である第３レンズブロックのレンズＬ[LS3o]の物体側レンズ面およびレンズＬ[LS3m]の像側レンズ面の少なくとも一方のレンズ面で、ペッツバール和を小さくするとともに、種々収差を補正する。（要は、撮像レンズが、良好な収差補正機能を有する）。したがって、撮像レンズの製造も簡易になり、その結果、低コストでその撮像レンズは製造される。
【図面の簡単な説明】
【００３８】
【図１】は、実施例１の撮像レンズの光学断面図である。
【図２】は、実施例２の撮像レンズの光学断面図である。
【図３】は、実施例３の撮像レンズの光学断面図である。
【図４】は、実施例４の撮像レンズの光学断面図である。
【図５】は、実施例５の撮像レンズの光学断面図である。
【図６】は、実施例６の撮像レンズの光学断面図である。
【図７】は、実施例７の撮像レンズの光学断面図である。
【図８】は、実施例８の撮像レンズの光学断面図である。
【図９Ａ】は、実施例１の撮像レンズの球面収差図である。
【図９Ｂ】は、実施例１の撮像レンズの非点収差図である。
【図９Ｃ】は、実施例１の撮像レンズの歪曲収差図である。
【図１０Ａ】は、実施例２の撮像レンズの球面収差図である。
【図１０Ｂ】は、実施例２の撮像レンズの非点収差図である。
【図１０Ｃ】は、実施例２の撮像レンズの歪曲収差図である。
【図１１Ａ】は、実施例３の撮像レンズの球面収差図である。
【図１１Ｂ】は、実施例３の撮像レンズの非点収差図である。
【図１１Ｃ】は、実施例３の撮像レンズの歪曲収差図である。
【図１２Ａ】は、実施例４の撮像レンズの球面収差図である。
【図１２Ｂ】は、実施例４の撮像レンズの非点収差図である。
【図１２Ｃ】は、実施例４の撮像レンズの歪曲収差図である。
【図１３Ａ】は、実施例５の撮像レンズの球面収差図である。
【図１３Ｂ】は、実施例５の撮像レンズの非点収差図である。
【図１３Ｃ】は、実施例５の撮像レンズの歪曲収差図である。
【図１４Ａ】は、実施例６の撮像レンズの球面収差図である。
【図１４Ｂ】は、実施例６の撮像レンズの非点収差図である。
【図１４Ｃ】は、実施例６の撮像レンズの歪曲収差図である。
【図１５Ａ】は、実施例７の撮像レンズの球面収差図である。
【図１５Ｂ】は、実施例７の撮像レンズの非点収差図である。
【図１５Ｃ】は、実施例７の撮像レンズの歪曲収差図である。
【図１６Ａ】は、実施例８の撮像レンズの球面収差図である。
【図１６Ｂ】は、実施例８の撮像レンズの非点収差図である。
【図１６Ｃ】は、実施例８の撮像レンズの歪曲収差図である。
【図１７】は、携帯端末のブロック図である。
【図１８Ａ】は、レンズブロックユニットの断面図である。
【図１８Ｂ】は、撮像レンズの製造工程を示す断面図である。
【図１８Ｃ】は、撮像レンズの断面図である。
【図１９】は、説明に使用するレンズブロックの断面図である。
【図２０】は、図１９とは異なる説明に使用するレンズブロックの断面図である。
【符号の説明】
【００３９】
ＢＫ    レンズブロック
Ｌ      レンズ
ＬＳ    レンズ基板
ａｐｅ  開口絞り
ｓ      レンズ面・基板面
＊      非球面
ＰＴ    平行平板
ＬＮ    撮像レンズ
ＳＲ    撮像素子
ＩＭ    像面（光学像）
ＳＳ    受光面
ＡＸ    光軸
ＬＵ    撮像装置
ＣＵ    携帯端末
１      信号処理部
２      制御部
３      メモリ
４      操作部
５      表示部
【発明を実施するための最良の形態】
【００４０】
［実施の形態１］
［■撮像装置および携帯端末について］
通常、撮像レンズは、画像入力機能付きデジタル機器（例えば携帯端末）への使用に適する。なぜなら、撮像レンズと撮像素子等とを組み合わせて含むデジタル機器は、被写体の映像を光学的に取り込んで電気的な信号として出力する撮像装置になるためである。【００４１】
撮像装置は、被写体の静止画および動画を撮影するカメラの主たる構成要素（光学装置）であり、例えば、物体（すなわち被写体）側から順に、物体の光学像を形成する撮像レンズと、その撮像レンズにより形成された光学像を電気的な信号に変換する撮像素子と、を含む。【００４２】
カメラの例としては、デジタルカメラ、ビデオカメラ、監視カメラ、車載カメラ、およびテレビ電話用カメラが挙げられる。また、カメラは、パーソナルコンピュータ、携帯端末（例えば、携帯電話、モバイルコンピュータ等のコンパクトで携帯可能な情報機器端末）、これらの周辺機器（スキャナー、プリンター等）、および、その他のデジタル機器等に内蔵または外付けされてもよい。【００４３】
これらの例からわかるように、撮像装置を搭載することでカメラが構成されるだけでなく、撮像装置を搭載することでカメラ機能を有する各種機器が構成される。例えば、カメラ付き携帯電話等の画像入力機能付きデジタル機器が構成される。【００４４】
図１７は、画像入力機能付きデジタル機器の一例である携帯端末ＣＵのブロック図である。この図での携帯端末ＣＵに搭載されている撮像装置ＬＵは、撮像レンズＬＮ、平行平面板ＰＴ、および撮像素子ＳＲを含む。【００４５】
撮像レンズＬＮは、物体（すなわち被写体）側から順に、物体の光学像(像面)ＩＭを形成する。詳説すると、撮像レンズＬＮは、例えばレンズブロックＢＫ（詳細は後述）を含み、撮像素子ＳＲの受光面ＳＳ上に光学像ＩＭを形成する。【００４６】
なお、撮像レンズＬＮで形成されるべき光学像ＩＭは、例えば、撮像素子ＳＲの画素ピッチにより決定される所定の遮断周波数特性を有する光学的ローパスフィルター(図１７での平行平面板ＰＴ)を通過する。この通過により、電気的な信号に変換される場合に発生するいわゆる折り返しノイズが最小化されるように、空間周波数特性が調整される。【００４７】
そして、この空間周波数特性の調整により、色モアレの発生が抑えられる。ただし、解像限界周波数周辺の性能が抑えられれば、光学的ローパスフィルターを用いなくても、ノイズが発生しない。また、ノイズのあまり目立たない表示系（例えば、携帯電話の液晶画面等）を用いて、ユーザーが撮影や鑑賞を行う場合、光学的ローパスフィルターは不要である。【００４８】
平行平面板ＰＴは、例えば、必要に応じて配置される光学的ローパスフィルター、赤外カットフィルタ等の光学フィルタである（なお、平行平板ＰＴは、撮像素子ＳＲのカバーガラス等に相当することもある）。【００４９】
撮像素子ＳＲは、撮像レンズＬＮにより受光面ＳＳ上に形成された光学像ＩＭを電気的な信号に変換する。例えば、複数の画素を有するＣＣＤ(Charge  Coupled  Device)型イメージセンサおよびＣＭＯＳ(Complementary  Metal-Oxide  Semiconductor)型イメージセンサが撮像素子（固体撮像素子）として挙げられる。なお、撮像レンズＬＮは、撮像素子ＳＲの受光面ＳＳ上に被写体の光学像ＩＭを形成させるように位置する。そのため、撮像レンズＬＮによって形成された光学像ＩＭは、撮像素子ＳＲによって電気的な信号に効率よく変換される。【００５０】
なお、このような撮像装置ＬＵが画像入力機能付きの携帯端末ＣＵに搭載される場合、通常、携帯端末ＣＵのボディ内部に撮像装置ＬＵが配置される。ただし、携帯端末ＣＵがカメラ機能を発揮する場合には、撮像装置ＬＵが必要に応じた形態になる。例えば、ユニット化した撮像装置ＬＵが、携帯端末ＣＵの本体に対して着脱自在または回動自在になっていてもよい。【００５１】
ところで、携帯端末ＣＵは、撮像装置ＬＵの他に、信号処理部１、制御部２、メモリ３、操作部４、および表示部５を含む。【００５２】
信号処理部１は、撮像素子ＳＲで生成された信号に対して、例えば、所定のデジタル画像処理および画像圧縮処理を必要に応じて施す。そして、処理の施された信号は、デジタル映像信号としてメモリ３（半導体メモリ、光ディスク等）に記録されたり、ケーブルを介して赤外線信号に変換され、他の機器に伝送されたりする。【００５３】
制御部２は、マイクロコンピュータであり、撮影機能、画像再生機能等の機能制御、すなわち、フォーカシングのためのレンズ移動機構の制御等を集中的に行う。例えば、制御部２は、被写体の静止画撮影および動画撮影のうちの少なくとも一方を行うように、撮像装置ＬＵを制御する。【００５４】
メモリ３は、例えば、撮像素子ＳＲで生成されるとともに信号処理部１にて処理された信号を記憶する。【００５５】
操作部４は、操作ボタン（例えばレリーズボタン）、操作ダイヤル（例えば撮影モードダイヤル）等の操作部材を含む部分であり、操作者の操作入力した情報を制御部２に伝達する。【００５６】
表示部５は、液晶モニター等のディスプレイを含む部分であり、撮像素子ＳＲによって変換された画像信号またはメモリ３に記録されている画像情報を用いて画像表示を行う。【００５７】
［■撮像レンズについて］
ここで、撮像レンズＬＮについて詳説する。撮像レンズＬＮは、複数の光学要素を連ねたレンズブロックＢＫを含む（後述の図１等参照）。そして、このレンズブロック（接合型複合レンズ）ＢＫは、例えば、レンズ基板ＬＳにて対向する２面（物体側基板面および像側基板面）のうちの少なくとも一方の基板面にレンズＬを連ねる（なお、このレンズＬは正パワーまたは負パワーを発揮する）。【００５８】
なお、“連なる”とは、レンズ基板ＬＳの基板面とレンズＬとが直接接着状態にあること、または、レンズ基板ＬＳの基板面とレンズＬとが別部材を介しながら間接接着状態にあることを意味する。【００５９】
［■撮像レンズの製造方法について］
ところで、図１８Ａの断面図に示すような、複数のレンズブロックＢＫを並べて含むレンズブロックユニットＵＴは、例えば、多数のレンズＬを同時に作製できるとともに低コストであるリフロー法またはレプリカ法で製造される（なお、レンズブロックユニットＵＴに含まれるレンズブロックＢＫの数は単数であっても複数であってもよい）。【００６０】
リフロー法は、ＣＶＤ(Chemical  Vapor  Deposition)法によって、ガラス基板に、低軟化点ガラスを成膜させる。そして、この低軟化点ガラス成膜は、リソグラフィーおよびドライエッチングによって微細加工される。さらに、加熱されることで、低軟化点ガラス成膜は溶融してレンズ状になる。つまり、このリフロー法では、ガラス基板上に、多数のレンズが同時に作製される。【００６１】
また、レプリカ法は、レンズウェーハ上に、金型を用いて硬化性の樹脂をレンズ形状にして転写する。これにより、このレプリカ法では、レンズウェーハ上に、多数のレンズが同時に作製される。【００６２】
そして、これらのような方法によって製造されたレンズブロックユニットＵＴから、撮像レンズＬＮが製造される。この撮像レンズの製造工程の一例を、図１８Ｂの概略断面図で示す。【００６３】
第１のレンズブロックユニットＵＴ１は、平行平板である第１レンズ基板ＬＳ１と、その一方の平面に接着された複数の第１レンズＬ１と、他方の平面に接着された複数の第２レンズＬ２と、で構成される。【００６４】
第２のレンズブロックユニットＵＴ２は、平行平板である第２レンズ基板ＬＳ２と、その一方の平面に接着された複数の第３レンズＬ３と、他方の平面に接着された複数の第４レンズＬ４と、で構成される。【００６５】
格子状のスペーサ部材（スペーサ）Ｂ１は、第１のレンズブロックユニットＵＴ１と第２のレンズブロックユニットＵＴ２との間（具体的には、第１レンズ基板ＬＳ１と第２レンズ基板ＬＳ２との間）に介在し、両レンズブロックユニットＵＴ１・ＵＴ２の間隔を一定に保つ。さらに、スペーサ部材Ｂ１は、基板２と第２のレンズブロックユニット２との間に介在し、基板２とレンズブロックユニットＵＴ２との間隔を一定に保つ（つまり、スペーサ部材Ｂ１は２段格子といえる）。そして、スペーサ部材Ｂ１の格子の穴の部分に、各レンズＬが位置する。【００６６】
なお、基板Ｂ２は、マイクロレンズアレイを含むウェーハスケールのセンサーチップサイズパッケージ、あるいはセンサーカバーガラスまたはＩＲカットフィルタ等の平行平面板（図１７での平行平面板ＰＴに相当するもの）である。【００６７】
そして、スペーサ部材Ｂ１が、第１のレンズブロックユニットＵＴ１と第１のレンズブロックユニットＵＴ２との間、および、第２のレンズユニットＵＴ２と第２基板Ｂ２との間に介在することで、レンズ基板ＬＳ同士（第１レンズ基板ＬＳ１と第２レンズ基板ＬＳ２と）が、封止され一体化する。【００６８】
そして、一体化した第１レンズ基板ＬＳ１、第２レンズ基板ＬＳ２、スペーサ部材Ｂ１、および基板２が、スペーサ部材Ｂ１の格子枠（破線Ｑの位置）に沿って切断されると、図１８Ｃに示すように、２枚玉構成の撮像レンズＬＮが複数得られる。【００６９】
このように、複数のレンズブロックＢＫ（第１レンズブロックＢＫ１および第２レンズブロックＢＫ２）の組み込まれた部材が切り離されることで、撮像レンズＬＮが製造されると、撮像レンズＬＮ毎のレンズ間隔の調整および組み立てが不要になる。そのため、撮像レンズＬＮの大量生産が可能となる。【００７０】
しかも、スペーサ部材Ｂ１が格子形状である。そのため、このスペーサ部材Ｂ１が、複数のレンズブロックＢＫの組み込まれた部材から撮像レンズＬＮを切り離す場合の印にもなる。したがって、複数のレンズブロックＢＫの組み込まれた部材から撮像レンズＬＮが簡単に切り離され、手間がかからない。その結果、撮像レンズが安価に大量生産できる。【００７１】
以上を踏まえると、撮像レンズＬＮの製造方法は、レンズブロックＢＫの周縁の少なくとも一部にスペーサ部材Ｂ１を並べ、複数のレンズブロックユニットＵＴを、スペーサ部材Ｂ１を介在させてつなげる連結工程と、つながるレンズブロックユニットＵＴを、スペーサ部材Ｂ１に沿って切断する切断工程と、を含む。そして、このような製造方法は、安価なレンズ系の量産に向いている。【００７２】
［■撮像レンズに関するレンズ構成ついて］
次に、全実施例（ＥＸ）である実施例１〜８の撮像レンズＬＮに関するレンズ構成について、図１〜図８の光学断面図を用いて説明する。【００７３】
光学断面等における部材符号については、以下のようになる。
・Ｌｉ    ：レンズＬ
・ＬＳｉ  ：レンズ基板ＬＳ（なお、全実施例のレンズ基板ＬＳは平行平板である）
・ＢＫｉ  ：レンズブロックＢＫ
・ＰＴｉ  ：平行平板（なお、レンズＬを連ねない平行平板に限ってＰＴｉを付す）
・ｓｉ    ：レンズ面および基板面
・ｉ      ：“Ｌｉ”等に付される数字であり、各部材での物体側から像側に至るまで
の順番。
・＊      ：非球面（なお、レンズ基板ＬＳに隣接せず、空気に接するレンズ面は非球
面である）
・ａｐｅ  ：開口絞り
・ＡＸ    ：光軸【００７４】
なお、物体側から像側に並ぶ順番に合致した数字を付されたレンズＬを別表現する場合がある。具体的には、レンズ基板ＬＳ（第１レンズ基板ＬＳ１〜第４レンズ基板ＬＳ４）における物体側（o）のレンズＬおよび像側（m）のレンズＬという意味で、レンズＬ[LS1o]、レンズＬ[LS1m]、レンズＬ[LS2o]、レンズＬ[LS2m]、レンズＬ[LS3o]、レンズＬ[LS3m]、レンズＬ[LS4o]、レンズＬ[LS4m]、と表現する場合がある。【００７５】
［●実  施  例  １］
実施例１の撮像レンズＬＮでは、物体側から像側に向かって並ぶ３つのレンズブロックＢＫ１〜ＢＫ３を含むとともに、開口絞りａｐｅを含む。【００７６】
最も物体側に位置する第１レンズブロックＢＫ１は、第１レンズ基板ＬＳ１を含む。そして、この第１レンズ基板ＬＳ１の物体側基板面には第１レンズＬ１（レンズＬ[LS1o]）が連なり、第１レンズ基板ＬＳ１の像側基板面には第２レンズＬ２(レンズＬ[LS1m]）が連なる。詳説すると、第１レンズＬ１および第２レンズＬ２は、以下のようになる。なお、開口絞りａｐｅは、第１レンズＬ１と第１レンズ基板ＬＳ１との境界面に形成される。【００７７】
・第１レンズＬ１  ：物体側凸の平凸レンズ（なお、物体側レンズ面は非球面）
・第２レンズＬ２  ：像側凹の平凹レンズ（なお、像側レンズ面は非球面）【００７８】
第２レンズブロックＢＫ２は、第１レンズブロックＢＫ１の像側に位置し、第２レンズ基板ＬＳ２を含む。そして、この第２レンズ基板ＬＳ２の物体側基板面には第３レンズＬ３（レンズＬ[LS2o]）が連なり、第２レンズ基板ＬＳ２の像側基板面には第４レンズＬ４（レンズＬ[LS2m]）が連なる。詳説すると、第３レンズＬ３および第４レンズＬ４は、以下のようになる。【００７９】
・第３レンズＬ３  ：物体側凹の平凹レンズ（なお、物体側レンズ面は非球面）
・第４レンズＬ４  ：像側凸の平凸レンズ（なお、像側レンズ面は非球面）【００８０】
第２レンズブロックＢＫ２の像側に位置する第３レンズブロックＢＫ３は、第３レンズ基板ＬＳ３を含む。そして、この第３レンズ基板ＬＳ３の物体側基板面には第５レンズＬ５（レンズＬ[LS3o]）が連なり、第３レンズ基板ＬＳ３の像側基板面には第６レンズＬ６（レンズＬ[LS3m]）が連なる。詳説すると、第５レンズＬ５および第６レンズＬ６は、以下のようになる。【００８１】
・第５レンズＬ５  ：物体側凸の平凸レンズ
（なお、この第５レンズＬ５は、物体側レンズ面を、そのレ
ンズ面での面頂点を凸状とするとともに最大像高の主光線
と交わる部分を凹状とする非球面にする）
・第６レンズＬ６  ：像側凹の平凹レンズ（なお、像側レンズ面は非球面）【００８２】
［●実  施  例  ２］
実施例２の撮像レンズＬＮは、第１レンズブロックＢＫ１、第２レンズブロックＢＫ２、第３レンズブロックＢＫ３、および開口絞りａｐｅを含む。【００８３】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。【００８４】
・第１レンズＬ１  ：物体側凸の平凸レンズ（なお、物体側レンズ面は非球面）
・第２レンズＬ２  ：像側凹の平凹レンズ（なお、像側レンズ面は非球面）【００８５】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。【００８６】
・第３レンズＬ３  ：物体側凹の平凹レンズ（なお、物体側レンズ面は非球面）
・第４レンズＬ４  ：像側凸の平凸レンズ（なお、像側レンズ面は非球面）【００８７】
第３レンズブロックＢＫ１では、第３レンズ基板ＬＳ３の物体側基板面に連なる第５レンズＬ５（レンズＬ[LS3o]）および像側基板面に連なる第６レンズＬ６（レンズＬ[LS3m]）は、以下のようになる。【００８８】
・第５レンズＬ５  ：物体側凹の平凹レンズ（なお、物体側レンズ面は非球面）
・第６レンズＬ６  ：像側凸の平凸レンズ（なお、像側レンズ面は非球面）【００８９】
［●実  施  例  ３］
実施例３の撮像レンズＬＮは、第１レンズブロックＢＫ１、第２レンズブロックＢＫ２、第３レンズブロックＢＫ３、および開口絞りａｐｅを含む。【００９０】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。【００９１】
・第１レンズＬ１  ：物体側凸の平凸レンズ（なお、物体側レンズ面は非球面）
・第２レンズＬ２  ：像側凸の平凸レンズ（なお、像側レンズ面は非球面）【００９２】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。【００９３】
・第３レンズＬ３  ：物体側凹の平凹レンズ（なお、物体側レンズ面は非球面）
・第４レンズＬ４  ：像側凸の平凸レンズ（なお、像側レンズ面は非球面）【００９４】
第３レンズブロックＢＫ１では、第３レンズ基板ＬＳ３の物体側基板面に連なる第５レンズＬ５（レンズＬ[LS3o]）および像側基板面に連なる第６レンズＬ６（レンズＬ[LS3m]）は、以下のようになる。
・第５レンズＬ５  ：物体側凸の平凸レンズ
（なお、この第５レンズＬ５は、物体側レンズ面を、そのレ
ンズ面での面頂点を凸状とするとともに最大像高の主光線
と交わる部分を凹状とする非球面にする）
・第６レンズＬ６  ：像側凹の平凹レンズ（なお、像側レンズ面は非球面）【００９５】
［●実  施  例  ４］・［●実  施  例  ５］
実施例４および５の撮像レンズＬＮでは、第１レンズブロックＢＫ１、第２レンズブロックＢＫ２、第３レンズブロックＢＫ３、および開口絞りａｐｅを含む。【００９６】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。【００９７】
・第１レンズＬ１  ：物体側凸の平凸レンズ（なお、物体側レンズ面は非球面）
・第２レンズＬ２  ：像側凹の平凹レンズ（なお、像側レンズ面は非球面）【００９８】
第２レンズブロックＢＫ２は、第２レンズ基板ＬＳ２を含み、その第２レンズ基板ＬＳ２の物体側基板面にのみレンズＬ｛第３レンズＬ３（レンズＬ[LS2o]）｝を連ねる。詳説すると、第３レンズＬ３は以下のようになる。【００９９】
・第３レンズＬ３  ：物体側凹の平凹レンズ（なお、物体側レンズ面は非球面）【０１００】
第３レンズブロックＢＫ１では、第３レンズ基板ＬＳ３の物体側基板面に連なる第４レンズＬ４（レンズＬ[LS3o]）および像側基板面に連なる第５レンズＬ５（レンズＬ[LS3m]）は、以下のようになる。【０１０１】
・第４レンズＬ４  ：物体側凸の平凸レンズ（なお、物体側レンズ面は非球面）
・第５レンズＬ５  ：像側凹の平凹レンズ（なお、像側レンズ面は非球面）【０１０２】
［●実  施  例  ６］
実施例６の撮像レンズＬＮは、第１レンズブロックＢＫ１、第２レンズブロックＢＫ２、第３レンズブロックＢＫ３、および開口絞りａｐｅを含む。特に、この撮像レンズＬＮは、実施例１〜５の撮像レンズＬＮとは異なり、レンズ基板片ＬＳＰ・ＬＳＰ同士を連ねるレンズ基板ＬＳを含む。【０１０３】
第１レンズブロックＢＫ１は、第１レンズ基板ＬＳ１を含む。そして、この第１レンズ基板ＬＳ１は、物体側に位置するレンズ基板片ＬＳＰ１ｏと像側に位置するレンズ基板片ＬＳＰ１ｍとのつながり（接合等）によって形成される。なお、このような第１レンズ基板ＬＳ１であっても、物体側基板面および像側基板面の両基板面（レンズ基板片ＬＳＰ１ｏの物体側基板面およびレンズ基板片ＬＳＰ１ｍの像側基板面）は平面である。したがって、第１レンズ基板ＬＳ１は平行平板である。【０１０４】
また、第１レンズ基板ＬＳ１の物体側基板面には第１レンズＬ１（レンズＬ[LS1o]）が連なり、第１レンズ基板ＬＳ１の像側基板面には第２レンズＬ２（レンズＬ[LS1m]）が連なる。詳説すると、第１レンズＬ１および第２レンズＬ２は、以下のようになる。なお、開口絞りａｐｅは、第１レンズ基板ＬＳ１におけるレンズ基板片ＬＳＰ１ｏとレンズ基板片ＬＳＰ１ｍとの境界面に形成される。【０１０５】
・第１レンズＬ１  ：物体側凸の平凸レンズ（なお、物体側レンズ面は非球面）
・第２レンズＬ２  ：像側凹の平凹レンズ（なお、像側レンズ面は非球面）【０１０６】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。【０１０７】
・第３レンズＬ３  ：物体側凹の平凹レンズ（なお、物体側レンズ面は非球面）
・第４レンズＬ４  ：像側凸の平凸レンズ（なお、像側レンズ面は非球面）【０１０８】
第３レンズブロックＢＫ１では、第３レンズ基板ＬＳ３の物体側基板面に連なる第５レンズＬ５（レンズＬ[LS3o]）および像側基板面に連なる第６レンズＬ６（レンズＬ[LS3m]）は、以下のようになる。【０１０９】
・第５レンズＬ５  ：物体側凹の平凹レンズ（なお、物体側レンズ面は非球面）
・第６レンズＬ６  ：像側凸の平凸レンズ（なお、像側レンズ面は非球面）【０１１０】
［●実  施  例  ７］
実施例７の撮像レンズＬＮは、レンズ基板片ＬＳＰ１ｏ・ＬＳＰ１ｍ同士を連ねる第１レンズ基板ＬＳ１を含む。また、この撮像レンズＬＮは、第１レンズブロックＢＫ１、第２レンズブロックＢＫ２、第３レンズブロックＢＫ３、および開口絞りａｐｅを含む。【０１１１】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズ基板ＬＳ１におけるレンズ基板片ＬＳＰ１ｏとレンズ基板片ＬＳＰ１ｍとの境界面に形成される。【０１１２】
・第１レンズＬ１  ：物体側凸の平凸レンズ（なお、物体側レンズ面は非球面）
・第２レンズＬ２  ：像側凹の平凹レンズ（なお、像側レンズ面は非球面）【０１１３】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。【０１１４】
・第３レンズＬ３  ：物体側凹の平凹レンズ（なお、物体側レンズ面は非球面）
・第４レンズＬ４  ：像側凸の平凸レンズ（なお、像側レンズ面は非球面）  【０１１５】
第３レンズブロックＢＫ３では、第３レンズ基板ＬＳ３の物体側基板面にのみレンズＬ｛第５レンズＬ５（レンズＬ[LS3o]）｝を連ねる。詳説すると、第５レンズＬ５は以下のようになる。【０１１６】
・第５レンズＬ５  ：物体側凹の平凹レンズ（なお、物体側レンズ面は非球面）【０１１７】
［●実  施  例  ８］
実施例８の撮像レンズＬＮでは、第１レンズブロックＢＫ１〜第３レンズブロックＢＫ３に加えて、第４レンズブロックＢＫ４を含む。そして、この第４レンズブロックＢＫ４は、第３レンズブロックＢＫ３の像側に位置する。また、この撮像レンズＬＮは開口絞りａｐｅを含む。【０１１８】
第１レンズブロックＢＫ１では、第１レンズ基板ＬＳ１の物体側基板面に連なる第１レンズＬ１（レンズＬ[LS1o]）および像側基板面に連なる第２レンズＬ２（レンズＬ[LS1m]）は、以下のようになる。なお、開口絞りａｐｅは、第１レンズＬ１と第１レンズ基板ＬＳ１との境界面に形成される。【０１１９】
・第１レンズＬ１  ：物体側凸の平凸レンズ（なお、物体側レンズ面は非球面）
・第２レンズＬ２  ：像側凹の平凹レンズ（なお、像側レンズ面は非球面）【０１２０】
第２レンズブロックＢＫ２では、第２レンズ基板ＬＳ２の物体側基板面に連なる第３レンズＬ３（レンズＬ[LS2o]）および像側基板面に連なる第４レンズＬ４（レンズＬ[LS2m]）は、以下のようになる。【０１２１】
・第３レンズＬ３  ：物体側凹の平凹レンズ（なお、物体側レンズ面は非球面）
・第４レンズＬ４  ：像側凸の平凸レンズ
（なお、この第４レンズＬ４は、像側レンズ面を、そのレン
ズ面での面頂点を凸状とするとともに最大像高の主光線と
交わる部分を凹状とする非球面にする）【０１２２】
第３レンズブロックＢＫ３は、第３レンズ基板ＬＳ３を含み、その第３レンズ基板ＬＳ３の像側基板面にのみレンズＬ｛第５レンズＬ５（レンズＬ[LS3m]）｝を連ねる。詳説すると、第５レンズＬ５は以下のようになる。
・第５レンズＬ５  ：像側凸の平凸レンズ（なお、像側レンズ面は非球面）【０１２３】
第４レンズブロックＢＫ４は、第４レンズ基板ＬＳ４を含む。そして、この第４レンズ基板ＬＳ４の物体側基板面には第６レンズＬ６（レンズＬ[LS4o]）が連なり、第４レンズ基板ＬＳ４の像側基板面には第７レンズＬ７（レンズＬ[LS4m]）が連なる。詳説すると、第６レンズＬ６および第７レンズＬ７は、以下のようになる。【０１２４】
・第６レンズＬ６  ：物体側凹の平凹レンズ
（なお、この第６レンズＬ６は、物体側レンズ面を、そのレ
ンズ面での面頂点を凹状とするとともに最大像高の主光線
と交わる部分を凸状とする非球面にする）
・第７レンズＬ７  ：像側凹の平凹レンズ（なお、像側レンズ面は非球面）
（なお、この第７レンズ７は、像側レンズ面を、そのレンズ
面での面頂点を凹状とするとともに最大像高の主光線と交
わる部分を凸状とする非球面にする）【０１２５】
［■撮像レンズに関するレンズのデータついて］
次に、実施例（ＥＸ）１〜８の撮像レンズＬＮの撮像レンズＬＮにおける各種データ、コンストラクションデータ、および非球面データを表に示す。【０１２６】
なお、各種データにおける符号については、以下のようになる。
・ｆ      ：焦点距離［単位；ｍｍ］
・Ｆｎｏ  ：Ｆナンバー
・ＢＦ    ：バックフォーカス（ただし、空気換算長。また、撮像レンズＬＮの全長で
ある光学全長に含まれるバックフォーカスも同様である)。
・Ｙ’    ：像高［単位；ｍｍ］（ただし、歪曲無しでの値）
・ω      ：半画角［単位；°］（ただし、画角は歪曲込みの値）
・ＴＬ    ：撮像レンズＬＮの全長［単位；ｍｍ］【０１２７】
ただし、レンズ基板ＬＳの物体側基板面に連なるレンズＬの焦点距離は、そのレンズＬの物体側が空気で満たされる一方、像側がレンズ基板ＬＳの媒質で満たされるという状態のもとで求められる。また、レンズ基板ＬＳの像側基板面に連なるレンズの焦点距離は、そのレンズＬの物体側がレンズ基板ＬＳの媒質で満たされる一方、像側が空気で満たされるという状態のもとで求められる。【０１２８】
また、接合されていないレンズＬの物体側レンズ面の焦点距離は、そのレンズＬの物体側が空気で満たされる一方、像側がレンズ基板ＬＳの媒質で満たされるという状態のもとで求められる。もちろん、接合されていないレンズＬの像側レンズ面の焦点距離は、そのレンズＬの物体側がレンズ基板ＬＳの媒質で満たされる一方、像側が空気で満たされるという状態のもとで求められる。【０１２９】
コンストラクションデータにおける符号については、以下のようになる。
・ｓｉ    ：数字は物体側から像側に向かうレンズ面および基板面の順番
・ｉ      ：“ｓｉ”等に付される数字であり、物体側から像側に至るまでの順番。
・＊      ：非球面
・ａｐｅ  ：開口絞り
・ｒ      ：レンズ面または基板面の曲率半径［単位；ｍｍ］
・ｄ      ：軸上面間隔［単位；ｍｍ］
・Ｎｄ    ：ｄ線（波長５８７．５６ｎｍ）に対して媒質が有する屈折率
・νｄ    ：ｄ線に対して媒質が有するアッベ数【０１３０】
非球面データは、非球面における面頂点を原点とするローカルな直交座標系（x，y，z）を用いた以下の式（ＡＳ）で定義される。そして、以下のKおよびA〜Iが、面（ｓｉ）毎に示される（ただし、表記のないA〜Iはゼロである）。なお、すべてのデータに関して、“Ｅ−ｎ”＝“×１０−ｎ”である。【０１３１】
z＝（c・ρ２）/[1+√(1-(1+K)・c・ρ２)] ＋A・ρ４＋B・ρ６＋C・ρ８
＋D・ρ１０＋E・ρ１２＋F・ρ１４＋G・ρ１６＋H・ρ１８＋I・ρ２０    …  （ＡＳ）
ただし、
ρ    ：z軸(光軸ＡＸ)に対して垂直な方向の高さ(ρ２=ｘ２+ｙ２)
z     ：高さρの位置での光軸ＡＸ方向のサグ量(面頂点基準)
c     ：面頂点での曲率(曲率半径ｒの逆数)
K     ：円錐定数
A〜I ：4次，6次，8次，10次，12次，14次，16次，18次，20次の非球面係数
である。【０１３２】
［●実  施  例  １］
【表１】
2008102774.tif 000003
【０１３３】
【表２】
2008102774.tif 000004
【０１３４】
［●実  施  例  ２］
【表３】
2008102774.tif 000005
【０１３５】
【表４】
2008102774.tif 000006
【０１３６】
［●実  施  例  ３］
【表５】
2008102774.tif 000007
【０１３７】
【表６】
2008102774.tif 000008
【０１３８】
［●実  施  例  ４］
【表７】
2008102774.tif 000009
【０１３９】
【表８】
2008102774.tif 000010
【０１４０】
［●実  施  例  ５］
【表９】
2008102774.tif 000011
【０１４１】
【表１０】
2008102774.tif 000012
【０１４２】
［●実  施  例  ６］
【表１１】
2008102774.tif 000013
【０１４３】
【表１２】
2008102774.tif 000014
【０１４４】
［●実  施  例  ７］
【表１３】
2008102774.tif 000015
【０１４５】
【表１４】
2008102774.tif 000016
【０１４６】
［●実  施  例  ８］
【表１５】
2008102774.tif 000017
【０１４７】
【表１６】
2008102774.tif 000018
【０１４８】
［■撮像レンズに関する収差ついて］
全実施例（ＥＸ）である実施例１〜８の撮像レンズＬＮに関する収差は、図９Ａ〜図１６Ｃに示される。収差図では、球面収差（LONGITUDINAL  SPHERICAL  ABER.）、非点収差（ASTIGMATIC  FIELD  CURVES）、および歪曲収差（DISTORTION）が示される。【０１４９】
球面収差図は、ｄ線（波長５８７．５６ｎｍ)に対する球面収差量、Ｃ線（波長６５６．２８ｎｍ）に対する球面収差量、ｇ線（波長４３５．８４ｎｍ）に対する球面収差量を、それぞれ近軸像面からの光軸ＡＸ方向のズレ量［単位；ｍｍ］で示す。また、球面収差図における縦軸は、瞳への入射高さをその最大高さで規格化した値（すなわち、相対瞳高さ）を示す。なお、ｄ線、ｃ線、ｇ線を示す線種は各図を参照するものとする。【０１５０】
非点収差図は、ｄ線に対するタンジェンシャル像面、および、ｄ線に対するサジタル像面を、近軸像面からの光軸ＡＸ方向のズレ量［単位；ｍｍ］で示す。なお、“Ｔ”と付した線がタンジェンシャル像面に対応し、“Ｓ”と付した線がサジタル像面に対応している。また、非点収差図における縦軸は像高(ＩＭＧ ＨＴ)である［単位；ｍｍ］。【０１５１】
歪曲収差図は、横軸がｄ線に対する歪曲［単位；％］を示し、縦軸が像高［単位；ｍｍ］を示す。なお、像高は結像面における最大像高Ｙ’(撮像素子ＳＲの受光面ＳＳの対角長の半分)に相当する。【０１５２】
［■撮像レンズの詳細について］
以上の撮像レンズＬＮの詳細は以下の通りである。【０１５３】
撮像レンズＬＮは、レンズブロック（ウェハスケールレンズ）ＢＫを含む。そして、このレンズブロックＢＫは、前述した通り、安価に大量生産される。この生産にて、材料の選択肢を増やすべく、例えば、加工しやすい材料または安価な材料を選択可能にすべく（簡易かつ低コストな撮像レンズＬＮを製造すべく）、レンズブロックＢＫは、材質を異ならせたレンズＬとレンズ基板ＬＳとを含む。【０１５４】
さらに、コンパクト化、高性能化（例えば高い収差補正機能）、および低コスト化等の種々のバランスを考慮すると、撮像レンズＬＮは、３つまたは４つのレンズブロックＢＫを含む。【０１５５】
また、撮像レンズＬＮは、図１８Ｂおよび図１８Ｃに示すように、スペーサ部材Ｂ１を介して、レンズ基板ＬＳに多数個成型されたレンズＬを並べたレンズブロックユニットＵＴ同士、さらには、センサーカバーになり得る基板Ｂ２をつなげた後、スペーサ部材Ｂ１に沿う切断で製造される。【０１５６】
そのため、レンズ基板ＬＳが平行平板であると、撮像レンズＬＮの製造過程で、レンズ基板ＬＳに対する加工は簡易または不要になるだけでなく、レンズＬが基板平面に形成されるため安定する。そのため、平行平板のレンズ基板ＬＳだと、撮像レンズＬＮの製造負担が軽減する。【０１５７】
さらに、レンズ基板ＬＳが平行平板であると、基板面とレンズＬとの境界面はパワーを有さない。そのため、例えば、レンズ基板ＬＳの基板面における面精度が、撮像レンズＬＮにおける像面へのピント位置に影響を与えにくい。したがって、撮像レンズＬＮは、高性能を有する。【０１５８】
また、撮像レンズＬＮにて、最も物体側に位置する第１レンズブロックＢＫ１では、第１レンズ基板ＬＳ１の物体側基板面にレンズＬ[LS1o]が連なり、そのレンズＬ[LS1o]の物体側レンズ面は、物体側凸面である。【０１５９】
このようになっていると、レンズＬ[LS1o]の物体側から入射してくる光（光束）は集光され、レンズＬ[LS1o]よりも像側に位置する種々の面にて、光軸から離れつつ像高毎に分離される（このような現象は、以降にて“光束が分離される”と称する）。このように面（基板面およびレンズ面）にて光束が分離されると、例えばレンズ面は分離した光束毎に収差を補正する。したがって、撮像レンズＬＮにて、収差が効率よく補正される。【０１６０】
さらに、第１レンズブロックＢＫ１の像側に位置する第２レンズブロックＢＫ２では、第２レンズ基板ＬＳ２の物体側基板面にレンズＬ[LS2o]が連なり、そのレンズＬ[LS2o]の物体側レンズ面は、物体側凹面である。【０１６１】
このようになっていると、以下の式（ＰＳ）で定義されるペッツバール和が小さくなる。なぜなら、レンズＬ[LS1o]における物体側レンズ面の物体側凸面の焦点距離と、レンズＬ[LS2o]における物体側レンズ面の物体側凹面の焦点距離とが相殺する関係になるためである。なお、ペッツバール和の値がゼロだと、近軸的な像面の曲率がゼロ、すなわち平面となり、その像面が理想的な面となる。【０１６２】
【数ＰＳ】
2008102774.tif 000019
ただし、
ｆｊ  ：物体側からｊ番目のレンズ面による焦点距離
ｎｊ  ：物体側からｊ番目のレンズ面を形成するレンズ材料の屈折率
である。【０１６３】
また、レンズＬ[LS2o]の物体側凹面は、レンズＬ[LS1o]の物体側凸面（正パワー）によって収斂する過程の光をうける。したがって、レンズＬ[LS2o]の物体側凹面は、極小サイズになる前の各光束に対して収差補正するので、各光束の周縁の収差も補正する。【０１６４】
また、レンズＬ[LS1o]の物体側凸面とレンズＬ[LS2o]の物体側凹面との間隔は、近すぎることもなく遠すぎることもない。そのため、レンズＬ[LS2o]の物体側凹面の曲率は、レンズＬ[LS1o]の物体側凸面の正パワーに応じて制約は加わるものの自由度は高い。したがって、ペッツバール和をゼロに近づけるためのレンズＬ[LS2o]のレンズ設計がしやすい。【０１６５】
さらに、以下のような撮像レンズＬＮであると望ましい。すなわち、第２レンズブロックＢＫ２の像側に位置する第３レンズブロックＢＫ３では、第３レンズ基板ＬＳ３の物体側基板面にレンズＬ[LS3o]が連なるとともに、第３レンズ基板ＬＳ３の像側基板面にレンズＬ[LS3m]が連なる。そして、レンズＬ[LS3o]の物体側レンズ面およびレンズＬ[LS3m]の像側レンズ面は非球面である。【０１６６】
あるいは、第３レンズブロックＢＫ３は１枚のレンズＬ[LS3m]のみを含み、そのレンズＬ[LS3m]は第３レンズＬＳ３の像側レンズ面に連なる。そして、レンズＬ[LS3m]の像側レンズ面は非球面である。つまり、撮像レンズＬＮにて、第３レンズブロックＢＫ３に含まれるレンズＬで空気に接する面が非球面であると望ましい。【０１６７】
このような非球面には、レンズＬ[LS1o]等によって像高毎に分離された光束が到達する。そのため、この非球面は、単焦点の撮像レンズＬＮにて、収差を引き起こしやすい比較的高い像高の光等を効率よく補正する。つまり、撮像レンズＬＮにて比較的像側に位置する第３ブロックＢＫ３でのレンズＬが、像高毎に応じた種々の形状（すなわち非球面）を有するレンズ面を含むので、撮像レンズＬＮはコンパクトでありながら各像高に応じた収差を補正する。【０１６８】
なお、撮像レンズＬＮでは、第３レンズブロックＢＫ３の物体側レンズ面および像側レンズ面がともに非球面である場合に限らず、物体側レンズ面および像側レンズ面の一方だけが非球面であっても、撮像レンズＬＮにおける収差は補正される。したがって、第３レンズブロックＢＫ３の物体側レンズ面および像側レンズ面の少なくとも一方が非球面であれば、撮像レンズＬＮにおける収差は効率よく補正される。【０１６９】
以上のような撮像レンズＬＮであれば、簡易かつ低コストで製造され、さらに、コンパクトで高性能を有する。そして、説明してきた種々の効果をバランス良く得るとともに、さらに、高度な光学性能等を達成するための条件等を以下に説明する。【０１７０】
例えば、撮像レンズＬＮでは、第１レンズブロックＢＫ１が正のパワーを発揮し、以下の条件式（Ｂ１）が満たされると望ましい。この条件式（Ｂ１）は、レンズＬ[LS1o]の物体側レンズ面が有する焦点距離を、撮像レンズＬＮ全体（全系）の焦点距離で規定する。【０１７１】
０．６≦ｆ[L[LS1o]o]／ｆ[all]≦２．０  …  （Ｂ１）
ただし、
ｆ[L[LS1o]o]  ：レンズＬ[LS1o]の物体側レンズ面の焦点距離
ｆ[all]           ：撮像レンズＬＮ全体の焦点距離
である。【０１７２】
条件式（Ｂ１）の値が下限値を下回る場合、例えば、レンズＬ[LS1o]の物体側レンズ面の正パワーが強すぎ、レンズＬ[LS1o]の像側レンズ面からの光の出射角度（ひいては第１ブロックＢＫ１からの光の出射角度）が過剰に大きくなる。そのため、像面に対するテレセントリック性が低下する。また、レンズＬ[LS1o]の物体側レンズ面の正パワーが強すぎることに起因して、撮像レンズＬＮにて収差が発生しやすい。例えば、レンズＬ[LS1o]の物体側レンズ面の曲率が強すぎて、収差が比較的大きく発生すると、レンズＬ[LS1o]の像側レンズ面（平面）では収差を補正しきれない。【０１７３】
一方、条件式（Ｂ１）の値が上限値を上回る場合、例えば、レンズＬ[LS1o]の物体側レンズ面の正パワーが弱すぎ、第２レンズブロックＢＫ２等に到達する光が像高毎に分離されない。そのため、像高毎の光束に対する収差補正が難しい。また、レンズＬ[LS1o]の物体側レンズ面の焦点距離が比較的長いことに起因して、撮像レンズＬＮの光学全長が増大する。【０１７４】
以上から、条件式（Ｂ１）の値が下限値から上限値までの範囲に収まれば、撮像レンズＬＮはコンパクトで高性能（例えば、テレセントリック性、高い収差補正機能）を有する。【０１７５】
なお、条件式（Ｂ１）の条件範囲のなかでも、以下の条件範囲を定めた条件式（Ｂ１ａ）が満たされると望ましい。
０．７≦ｆ[L[LS1o]o]／ｆ[all]≦１．６  …  （Ｂ１ａ）【０１７６】
また、撮像レンズＬＮでは、以下の条件式（Ｂ２）が満たされると望ましい。この条件式（Ｂ２）は、第１レンズ基板ＬＳ１の屈折率とレンズＬ[LS1o]の屈折率との比であり、要は、第１レンズ基板ＬＳ１の屈折率が、レンズＬ[LS1o]の屈折率よりも大きいことを示す。【０１７７】
１＜Ｎ[LS1]／Ｎ[L[LS1o]]  …  （Ｂ２）
ただし、
Ｎ[LS1]      ：第１レンズ基板ＬＳ１の屈折率
Ｎ[L[LS1o]]  ：レンズＬ[LS1o]の屈折率
である。【０１７８】
この条件式（Ｂ２）については、図１９を参照しながら説明する。図１９は第１レンズブロックＢＫ１を示す。そして、この図１９での実線ＳＷ１および実線ＬＷ１はレンズ基板ＬＳ１が存在しない場合の短波長光の光路および長波長光の光路（要は、空気中を進行すると仮定した光路）を示し、二点鎖線ＳＷ２および二点鎖線ＬＷ２はレンズ基板ＬＳ１が存在する場合での短波長光の光路および長波長光の光路を示す。【０１７９】
図１９に示すように、物体側からの光は、第１レンズＬ１（レンズＬ[LS1o]）、第１レンズ基板ＬＳ１、第２レンズＬ２（レンズＬ[LS1m]）の順で通過する。第１レンズＬ１に入射する光のうち、短波長光は、長波長光よりも大きく屈折しながら進行する。そのため、第１レンズＬ１を通過する短波長光および長波長光が第１レンズ基板ＬＳ１の物体側基板面に入射する場合、短波長光の入射角度は長波長光の入射角度よりも大きくなる。【０１８０】
ただし、第１レンズ基板ＬＳ１の屈折率Ｎ[LS1]のほうが、レンズＬ[LS1o]である第１レンズＬ１の屈折率Ｎ[L[LS1o]]よりも大きいので、スネルの法則により、短波長光が第１レンズ基板ＬＳ１の物体側基板面から出射する角度は、その物体側基板面に入射する角度よりも小さい。もちろん、長波長光の場合でも同様である。【０１８１】
また、短波長光に対する第１レンズＬ１と第１レンズ基板ＬＳ１との屈折率差も、長波長光に対する第１レンズＬ１と第１レンズ基板ＬＳ１との屈折率差よりも大きい（要は、第１レンズＬ１から第１レンズ基板ＬＳ１に入射する短波長光と長波長光とでは、短波長光のほうが大きく屈折する）。【０１８２】
すると、第１レンズ基板ＬＳ１にて進行する長波長光の光路ＬＷ２は、光路ＬＷ１より若干第１レンズ基板ＬＳ１の周縁にずれるように屈折進行する。一方、第１レンズ基板ＬＳ１にて進行する短波長光の光路ＳＷ２は、光路ＳＷ１よりもはるかに大きく第１レンズ基板ＬＳ１の周縁にずれるように屈折進行する。【０１８３】
その結果、第１レンズ基板ＬＳ１にて進行する短波長光と長波長光との光路間隔（ＳＷ２・ＬＷ２参照）は、第１レンズ基板ＬＳ１がなく空気中を進行する短波長光と長波長光との光路間隔（ＳＷ１・ＬＷ１参照）に比べて狭くなる。そのため、この条件式（Ｂ２）を満たす撮像レンズＬＮでは、光の波長の差異に起因する色収差が補正される。【０１８４】
また、第１レンズ基板ＬＳ１のアッベ数が、５０以下のアッベ数を有すると望ましい。すなわち、以下の条件式（Ｂ３）が満たされるとよい。なお、さらに望ましくは、第１レンズ基板ＬＳ１のアッベ数が、レンズＬ[LS1o]のアッベ数よりも小さいと、色収差は改善される。【０１８５】
ν[LS1]≦５０  …  （Ｂ３）
ただし、
ν[LS1]  ：第１レンズ基板ＬＳ１のアッベ数
である。【０１８６】
アッベ数は、材質の分散を示す値であり、波長４８６．１ｎｍ（Ｆ線）の青色の光に対する屈折率ｎＦと波長６５６．３ｎｍ（Ｃ線）の赤色の光に対する屈折率ｎＣとの差分と、波長５８７．６ｎｍ（ｄ線）の黄色の光に対する屈折率と空気の屈折率との差分との比である。そして、このアッベ数が小さいということは、Ｆ線に対する屈折率とＣ線に対する屈折率との差（屈折率差）が大きいことになる。これは、短波長の光が比較的大きく屈折することを意味する。【０１８７】
したがって、このように条件式（Ｂ３）を満たす撮像レンズＬＮであれば、条件式（Ｂ２）が満たされる場合と同様に、色収差が補正される。もちろん、条件式（Ｂ２）および（Ｂ３）がともに満たされれば、一層望ましい。【０１８８】
ただし、このような条件式（Ｂ２）および（Ｂ３）を満たさなくても、簡易かつ低コストで製造されながら色収差を補正する撮像レンズＬＮはある。それは、以下の条件式（Ｂ４）および（Ｂ５）を満たすような撮像レンズＬＮである。この条件式（Ｂ４）は、第１レンズ基板ＬＳ１の屈折率とレンズＬ[LS1o]の屈折率との比であり、要は、第１レンズ基板ＬＳ１の屈折率が、レンズＬ[LS1o]の屈折率より小さいことを示す。【０１８９】
Ｎ[LS1]／Ｎ[L[LS1o]]＜１  …  （Ｂ４）
４０≦ν[LS1]             …  （Ｂ５）
ただし、
Ｎ[LS1]      ：第１レンズ基板ＬＳ１の屈折率
Ｎ[L[LS1o]]  ：レンズＬ[LS1o]の屈折率
ν[LS1]      ：第１レンズ基板ＬＳ１のアッベ数
である。【０１９０】
この条件式（Ｂ５）については、図２０を参照しながら説明する。図２０は図１９同様レンズブロックＢＫ１を示す。そして、この図２０での実線ＳＷ１および実線ＬＷ１はレンズ基板ＬＳ１が存在しない場合での短波長光の光路および長波長光の光路を示す。二点鎖線ＳＷ２および二点鎖線ＬＷ２は、条件式（Ｂ５）を満たすレンズ基板ＬＳ１が存在する場合での短波長光の光路および長波長光の光路を示す。点線ＳＷ３および点線ＬＷ３は、条件式（Ｂ５）を満たさないレンズ基板ＬＳ１が存在する場合での短波長光の光路および長波長光の光路を示す。【０１９１】
上記同様、第１レンズＬ１（レンズＬ[LS1o]）に入射する光のうち、短波長光は、長波長光よりも大きく屈折しながら進行するので、第１レンズＬ１を通過する短波長光および長波長光が第１レンズ基板ＬＳ１の物体側基板面に入射する場合、短波長光の入射角度は長波長光の入射角度よりも大きくなる。【０１９２】
そして、第１レンズ基板ＬＳ１の屈折率Ｎ[LS1]のほうが、第１レンズＬ１の屈折率Ｎ[L[LS1o]]よりも小さいので、スネルの法則により、短波長光が第１レンズ基板ＬＳ１の物体側基板面から出射する角度は、その物体側基板面に入射する角度よりも大きい。もちろん、長波長光の場合でも同様である。【０１９３】
さらに、アッベ数が比較的小さいと、短波長光の光路ＳＷ３および長波長光の光路ＬＷ３によって形成される光の帯は、第１レンズ基板ＬＳ１の像側に近づくにつれて広がる（つまり、光路ＳＷ３と光路ＬＷ３との光路間隔は広がる）。そのため、顕著な色収差が発生する。【０１９４】
しかしながら、条件式（Ｂ５）が満たされる場合、短波長光の光路ＳＷ２および長波長光の光路ＬＷ２によって形成される光の帯は、短波長光の光路ＳＷ３および長波長光の光路ＬＷ３によって形成される光の帯ほど広がらない。つまり、光路ＳＷ２と光路ＬＷ２との光路間隔は過剰には広がらない。したがって、この条件式（Ｂ４）および（Ｂ５）を満たす撮像レンズＬＮは、条件式（Ｂ２）および（Ｂ３）の少なくとも一方の条件式を満たす撮像レンズＬＮ同様、光の波長の差異に起因する色収差を補正する。なお、第１レンズ基板ＬＳ１のアッベ数が、レンズＬ[LS1o]のアッベ数よりも大きいと、色収差は改善される。【０１９５】
また、撮像レンズＬＮでは、以下の条件式（Ｂ６）が満たされると望ましい。この条件式（Ｂ６）は、光学全長で第１レンズ基板ＬＳの厚みを規定する。【０１９６】
０．０３≦ｄ[LS1]／ＴＬ≦０．３３  …  （Ｂ６）
ただし、
ｄ[LS1]  ：第１レンズ基板ＬＳ１の光軸上の厚み
ＴＬ     ：撮像レンズＬＮにて最も物体側の面から結像面に至るまでの光軸上
の長さ
である。【０１９７】
条件式（Ｂ６）の値が下限値を下回る場合、第１レンズ基板ＬＳ１の厚みが薄くなりすぎてしまい、第１レンズブロックＢＫ１の製造が困難になる。また、この第１レンズ基板ＬＳ１が市販ガラス平板を削ることで薄くなる場合、削られる量に相当する材料費が無駄になる。また薄くなりすぎた第１レンズ基板ＬＳ１に起因して、高価な樹脂でレンズＬ[LS1o]およびレンズＬ[LS1m]が厚みを増さなくてはならなくなると、第１レンズブロックＢＫ１（ひいては撮像レンズＬＮ）のコストが増加する。【０１９８】
一方、条件式（Ｂ６）の値が上限値を上回る場合、第１レンズ基板ＬＳ１の厚みが厚くなりすぎてしまい、ひいては第１レンズブロックＢＫ１の厚みが厚くなる。そして、その厚みに起因した非点隔差が増大する。【０１９９】
また、３枚以下のコンパクトな光学系では、特開２００６-９１６３８号公報および特開２００６-９８５０４号公報のように、最も物体側のレンズが物体側凸メニスカスレンズになっていると望ましい。しかし、このように第１レンズ基板ＬＳ１が厚くなりすぎると、第１レンズブロックＢＫ１の形状が、薄いメニスカス形状と大きく異なる。そのため、撮像レンズＬＮにおける収差補正のための設計に制限が加わる（要は、このような撮像レンズＬＮは、低い収差補正性能を有する）。その上、このような第１レンズブロックＢＫ１を含む撮像レンズＬＮは、広角レンズ系として不向きになる。【０２００】
以上から、条件式（Ｂ６）の値が下限値から上限値までの範囲に収まれば、撮像レンズＬＮは、低コストで製造され、さらに、コンパクトで高性能を有する。特に、条件式（Ｂ６）の条件範囲のなかでも、以下の条件範囲を定めた条件式（Ｂ６ａ）が満たされると望ましい。
０．０６５≦ｄ[LS1]／ＴＬ≦０．１９  …  （Ｂ６ａ）【０２０１】
なお、条件式（Ｂ２）および（Ｂ３）を満たす撮像レンズＬＮ、並びに、条件式（Ｂ４）および（Ｂ５）を満たす撮像レンズＬＮにて、条件式（Ｂ６）または（Ｂ６ａ）の値が満たされると、光が第１レンズ基板ＬＳ１を通過する過程にて、短波長光の光路ＳＷ２および長波長光の光路ＬＷ２によって形成される光の帯の広がり（光の分散）は適切に抑制される。【０２０２】
また、撮像レンズＬＮでは、以下の条件式（Ｂ７）および（Ｂ８）が満たされると望ましい。この条件式（Ｂ７）は、撮像レンズＬＮにおける光学全長と最大像高との比を示しており、最大像高に対して最大でも２倍程度に抑えた光学全長しか有さないコンパクトな撮像レンズＬＮを意味する。また、条件式（Ｂ８）は、光学全長でレンズブロックＢＫ間における空気間隔の総和を規定する。【０２０３】
ＴＬ／Ｙ’≦２．０６    …  （Ｂ７）
Ａｒ／ＴＬ≦０．５      …  （Ｂ８）
ただし、
ＴＬ      ：撮像レンズＬＮにて最も物体側の面から結像面に至るまでの光軸上
の長さ
Ｙ’      ：最大像高
Ａｒ      ：撮像レンズＬＮにて、隣り合うレンズブロックＢＫ同士の空気間隔
の総和（ただし、レンズブロックＢＫを除くパワーを有さない光学
素子の厚みは、空気換算した後、空気間隔に含む）
である。【０２０４】
条件式（Ｂ７）を満たすコンパクトな撮像レンズＬＮは、撮像素子ＳＲと一体化したコンパクトなモジュール（カメラモジュール）となる。そして、このカメラモジュールは、ペースト状のハンダの印刷されたプリント基板（回路基板）に取り付けられた後、加熱処理（リフロー処理）されることで、そのプリント基板に実装される。【０２０５】
このような実装過程におけるリフロー処理では、撮像レンズＬＮは、３００℃近く（２５０〜２８０℃程度）の環境下に置かれる。すると、図１８Ｃに示すように、スペーサ部材Ｂ１を介して密閉されるレンズブロックＢＫ間の空気は膨張する。このような空気膨張が過剰に起きてしまうと、レンズブロック同士が乖離し、撮像レンズＬＮが破損しかねない。【０２０６】
そこで、このような撮像レンズＬＮの破損を防止すべく、撮像レンズＬＮは、条件式（Ｂ８）を満たすと望ましい。つまり、撮像レンズＬＮにおける空気間隔は極力短いと望ましい。特に、条件式（Ｂ８）の条件範囲のなかでも、以下の条件範囲を定めた条件式（Ｂ８ａ）が満たされると望ましい。この条件式の範囲であれば、撮像レンズＬＮが密閉された場合に、閉じ込められる空気が充分小さくなる。
Ａｒ／ＴＬ≦０．３９５      …  （Ｂ８ａ）【０２０７】
また、撮像レンズＬＮでは、以下の条件式（Ｂ９）が満たされると望ましい。この条件式（Ｂ９）は、レンズＬ[lS2o]の物体側レンズ面の近軸曲率半径を撮像レンズＬＮの全体の焦点距離で規定する。【０２０８】
−２．０≦ｒ[L[LS2o]o]／ｆ[all]≦−０．３５  …  （Ｂ９）
ただし、
ｒ[L[LS2o]o]  ：レンズＬ[lS2o]の物体側レンズ面の近軸曲率半径
ｆ[all]           ：撮像レンズ全体の焦点距離
である。【０２０９】
条件式（Ｂ９）の値が下限値を下回る場合、例えば、レンズＬ[LS2o]の物体側レンズ面の近軸曲率半径が比較的長くなり、そのレンズ面のパワーが十分に発揮されない。このような場合、レンズＬ[LS1o]の物体側レンズ面に起因する球面収差が、レンズＬ[LS2o]の物体側レンズ面のパワーで十分に補正しきれない。そのため、撮像レンズＬＮにて球面収差が顕著に現れる。【０２１０】
一方、条件式（Ｂ９）の値が上限値を上回る場合、例えば、レンズＬ[LS2o]の物体側レンズ面の近軸曲率半径が比較的短くなり、そのレンズ面のパワーが過剰に発揮される。このような場合、レンズＬ[LS1o]の物体側レンズ面に起因する球面収差が、レンズＬ[LS2o]の物体側レンズ面のパワーで過剰に補正される。【０２１１】
以上から、条件式（Ｂ９）の値が下限値から上限値までの範囲に収まれば、撮像レンズＬＮは、球面収差を適切に補正する。また、この条件式の範囲であれば、非点収差も補正される。詳説すると、条件式（Ｂ９）の値が下限値を下回ると非点収差が顕著に現れ、条件式（Ｂ９）の値が上限値を上回ると軸外光束を捕らえられないが、条件式（Ｂ９）の範囲であれば、そのような事態が生じない。つまり、条件式（Ｂ９）の範囲であれば、撮像レンズＬＮは比較的高い収差補正機能を有する。【０２１２】
特に、条件式（Ｂ９）よりも、以下の条件範囲を定めた条件式（Ｂ９ａ）が満たされると望ましい。
−１．５≦ｒ[L[LS2o]o]／ｆ[all]≦−０．４  …  （Ｂ９ａ）【０２１３】
ところで、撮像レンズＬＮが高温環境下に置かれることを想定して、比較的耐熱性の高いガラスで、レンズ基板ＬＳが形成されると望ましい。特に、そのガラスが、高軟化温度のガラスであると一層望ましい（なお、レンズＬについての耐熱性等については後述する）。【０２１４】
なお、以下に、全ての実施例（ＥＸ１〜ＥＸ８）における条件式（Ｂ１〜Ｂ８）の結果を表にして示す。ただし、表での下線は、条件を満たさないことを意味する。
【表１７】
2008102774.tif 000020
【０２１５】
［実施の形態２］
実施の形態２について説明する。なお、実施の形態１で用いた部材と同様の機能を有する部材については同一の符号を付記し、その説明を省略する。この実施の形態では、レンズＬを形成する樹脂について説明する。【０２１６】
樹脂は、加工性に優れている。そのため、実施の形態１で列挙してきたレンズＬが樹脂で形成される場合、金型等で簡易に非球面のレンズ面が形成される。【０２１７】
ただし、通常、透明な樹脂（ポリメチルメタクリレート等）に微粒子が混合すると、樹脂内に光の散乱が生じ、透過率が低下する。そのため、微粒子を含有する樹脂は、光学材料として不向きといえる。【０２１８】
また、樹脂は、温度に依存して屈折率を変える。例えば、以下のローレンツ・ローレンツの式（ＬＬ）で、ポリメチルメタクリレート（ＰＭＭＡ）の屈折率の温度依存性、すなわち、温度に依存する屈折率変化（ｄｎ／ｄｔ）を求めてみる。
【数ＬＬ】
2008102774.tif 000021
ただし、
ｎ   ：樹脂の屈折率
ｔ   ：温度
α   ：線膨張係数（なお、ＰＭＭＡの場合、α＝７×１０−５である）
［Ｒ］ ：分子屈折
である。【０２１９】
すると、ＰＭＭＡの場合、屈折率変化が“−１．２×１０−４［／℃］”となる。この数値は実測値とほぼ一致する。したがって、樹脂（プラスチック）だけでレンズＬが形成されると、そのレンズＬの有する屈折率変化は、温度に依存せざるを得ない。その上、このような樹脂に単純に微粒子を混在させてレンズＬが形成されると、そのレンズＬは光を散乱させるだけでなく、温度に応じて屈折率を変えることになる。【０２２０】
しかしながら、最近、樹脂が適切に設計された微粒子を含むことで、光学材料として使用可能であることがわかってきた。なぜなら、微粒子を含有する樹脂（混合樹脂）では、その微粒子の粒径が透過光束の波長より小さくなっていると、光の散乱が発生しないためである。【０２２１】
その上、微粒子が無機微粒子であると、その無機微粒子は温度上昇にともなって屈折率を上昇させる。そのため、混合樹脂にて、温度上昇にともなった樹脂の屈折率低下と、温度上昇にともなった無機微粒子の屈折率上昇とが同時に発生する。すると、両方の温度依存性（屈折率低下・屈折率上昇）が相殺され、その結果、混合樹脂の屈折率変化が温度に依存して起きにくくなる（例えば、レンズＬにて、面形状変化に起因する近軸像点位置への影響とほぼ同程度に、屈折率変化が抑えられる）。【０２２２】
なお、特開２００７−１２６６３６号に、以上の一例である混合樹脂、すなわち、樹脂（母材）に最大長３０ｎｍ以下の無機微粒子｛子材；酸化ニオブ（Ｎｂ２Ｏ５）等｝を分散させた混合樹脂が開示される。【０２２３】
以上を踏まえると、レンズＬが３０ｎｍ以下の無機微粒子を分散させた樹脂（混合樹脂）で形成されると、そのレンズＬを含む撮像レンズＬＮは、温度に対して高い耐久性を有する。また、例えば、混合樹脂における樹脂と無機微粒子との比率、無機微粒子の粒径の長さ（例えば、最大長２０ｎｍ以下、さらに望ましくは１５ｎｍ以下）、母材となる樹脂の種類、および子材となる無機微粒子の種類、が適切に調整されると、レンズＬが高屈折率を発揮する。すると、混合樹脂でレンズＬが形成されると、そのレンズＬを含む撮像レンズＬＮがコンパクトになったり、レンズＬの成形難易度が低減したりする。【０２２４】
なお、以上のような樹脂は硬化型樹脂であると望ましい。なぜなら、このような硬化型樹脂であれば、金型等によって、簡易に非球面を含むレンズＬが製造されるためである。また、樹脂に接着性があれば（または樹脂に接着剤が混在していれば）、その樹脂製のレンズＬはレンズ基板ＬＳに容易に接合する。つまり、直接接着されたレンズ基板ＬＳおよびレンズＬを含むレンズブロックＢＫブロックが簡単に製造される。【０２２５】
さらに、以上のような樹脂が耐熱性を有するとよい。例えば、撮像レンズＬＮおよび撮像素子ＳＲを一体化したモジュール（カメラモジュール）は、ペースト状のハンダの印刷されたプリント基板（回路基板）に取り付けられた後、加熱処理（リフロー処理）されることで、そのプリント基板に実装される。特に、このような実装はオートメーションで行われる。すると、レンズＬが耐熱性の硬化型樹脂であれば、リフロー処理に耐えられるので、オートメーションに適する（もちろん、レンズ基板ＬＳも耐熱性の高い材料、例えば、ガラスだと望ましい）。【０２２６】
なお、硬化型樹脂の一例としては、熱硬化型樹脂および紫外線（ＵＶ）硬化型樹脂が挙げられる。【０２２７】
そして、熱硬化型樹脂の場合、レンズＬが比較的厚かったとしても、精度よく製造される。また、ＵＶ硬化樹脂の場合、比較的短時間で硬化するため、レンズＬが短時間で製造される。【０２２８】
最後に、本発明は上記の実施の形態に限定されず、本発明の趣旨を逸脱しない範囲で、種々の変更が可能である。
【図１】
2008102774.tif 000022
【図２】
2008102774.tif 000023
【図３】
2008102774.tif 000024
【図４】
2008102774.tif 000025
【図５】
2008102774.tif 000026
【図６】
2008102774.tif 000027
【図７】
2008102774.tif 000028
【図８】
2008102774.tif 000029
【図９Ａ】
2008102774.tif 000030
【図９Ｂ】
2008102774.tif 000031
【図９Ｃ】
2008102774.tif 000032
【図１０Ａ】
2008102774.tif 000033
【図１０Ｂ】
2008102774.tif 000034
【図１０Ｃ】
2008102774.tif 000035
【図１１Ａ】
2008102774.tif 000036
【図１１Ｂ】
2008102774.tif 000037
【図１１Ｃ】
2008102774.tif 000038
【図１２Ａ】
2008102774.tif 000039
【図１２Ｂ】
2008102774.tif 000040
【図１２Ｃ】
2008102774.tif 000041
【図１３Ａ】
2008102774.tif 000042
【図１３Ｂ】
2008102774.tif 000043
【図１３Ｃ】
2008102774.tif 000044
【図１４Ａ】
2008102774.tif 000045
【図１４Ｂ】
2008102774.tif 000046
【図１４Ｃ】
2008102774.tif 000047
【図１５Ａ】
2008102774.tif 000048
【図１５Ｂ】
2008102774.tif 000049
【図１５Ｃ】
2008102774.tif 000050
【図１６Ａ】
2008102774.tif 000051
【図１６Ｂ】
2008102774.tif 000052
【図１６Ｃ】
2008102774.tif 000053
【図１７】
2008102774.tif 000054
【図１８Ａ】
2008102774.tif 000055
【図１８Ｂ】
2008102774.tif 000056
【図１８Ｃ】
2008102774.tif 000057
【図１９】
2008102774.tif 000058
【図２０】
2008102774.tif 000059
【国際調査報告】
2008102774.tif 000060
2008102774.tif 000061
2008102774.tif 000062
2008102774.tif 000063